(57)【要約】      （修正有）【課題】構造が簡単で使用寿命が長く回路板の防水保護問題を解決する防水放熱ファンを提供する。【解決手段】固定子１０と回転子２０を備え、前記固定子はプロペラフレーム１１とコイル１２と回路板１３を備え、前記コイルはプロペラフレームの軸柱周辺に固着され、前記回路板はコイルの下方に固着され、前記軸柱から仕切板を延伸し、前記仕切板とプロペラフレームの防水蓋１１３を繞設して密封収納室を形成し、前記回路板は前記密封収納室内に配置され、コイルは密封収納室の外側に配置され、しかもコイルは密封収納室内の導電部品に延伸することにより回路板と電気的に接続する。そして、密封収納室を配置して回路板を前記密封収納室内に取り付け、導電部品と密封収納室外のコイルを電気的に接続することにより、回路板の防水保護を実現する。【選択図】図１
0003164721.tif 000002
【実用新案登録請求の範囲】
【請求項１】
固定子と回転子を備える防水放熱ファンにおいて、
前記固定子にはプロペラフレームとコイルと回路板を備え、前記コイルはプロペラフレームの軸柱周辺に固着され、前記回路板はコイルの下方に固着され、前記軸柱から仕切板を延伸し、前記仕切板とプロペラフレームの防水蓋を繞設して密封収納室を形成し、前記回路板は前記密封収納室内に配置され、前記コイルは密封収納室外に配置され、しかもコイルは密封収納室内の導電部品に延伸することにより前記回路板と電気的に接続することを特徴とする、防水放熱ファン。
【考案の詳細な説明】
【技術分野】
【０００１】
本考案は放熱ファン分野の技術に係り、特に防水放熱ファンに関する。
【背景技術】
【０００２】
科学技術レベルの日進月歩に伴い、放熱ファンの応用分野も拡大し続け、ＣＰＵからサーバーに至るまで、簡単な通信機器から戸外の基地局に至るまで、ファンの応用環境は徐々に複雑になり、サポートする作用も益々重要となっている。しかし、現有する公知の放熱ファンの多くには防水機能がないという欠点があり、ファン内の回路板に水が付着するとショートによる焼け壊れを起こし、ファンの作動も不正常となるため、高価なサーバーやその他メインとなる機器を焼き壊してしまうなど深刻な結果を引き起こすこともある。
【０００３】
前述に鑑み、市場には防水機能を備える放熱ファンが出現し、それは主に二種類の方法を採用している。その一つは回路板に対して真空メッキ処理を行うもので、もう一つは接着剤注入処理を行うものである。
【考案の概要】
【考案が解決しようとする課題】
【０００４】
前記真空メッキ処理は回路板の全体表面に一層の膜をメッキするものであり、メッキ後の回路板には確実に防水機能が保たれるが、真空メッキにもまた多くの欠点がある。まず一つ目は、真空メッキのコストが高くファンのコストを向上させるために市場競争が不利となる点である。二つ目は、メッキ過程で回路板上の電子部品の損傷を起こし易いためファンの効果を達成できない点である。三つ目は、真空メッキ後の製品は衝撃により表面に肉眼で見えない傷が付いた場合、製品品質の保証が難しい点である。
【０００５】
前記接着剤注入処理は主に接着剤を回路板周囲及びその内部空間に充填して防水効果を達成するものである。この方法での接着剤層は厚みがあるため、回路板を包み込んだ後の回路板自身の放熱に影響を与え、回路板が焼けてしまい、ファン効果が失われることもある。更に、接着剤には凝固過程中に応力を生じさせることもあり、これにより回路板上の電子部品が損傷し易くなる。
【０００６】
よって、本考案の目的は構造が簡単で使用寿命の長い防水放熱ファンを提供し、回路板の防水保護問題を解決することにある。  
【課題を解決するための手段】
【０００７】
前述した目的を実現するために本考案は次の技術手段を採用する。
【０００８】
防水放熱ファンは固定子と回転子を備え、前記固定子にはプロペラフレームとコイルと回路板を備え、前記コイルはプロペラフレームの軸柱周辺に固着され、前記回路板はコイルの下方に固着され、前記軸柱から仕切板を延伸し、前記仕切板とプロペラフレームの防水蓋を繞設して密封収納室を形成し、前記回路板は前記密封収納室内に配置し、コイルは密封収納室の外側に配置され、しかもコイルは密封収納室内の導電部品に延伸することにより回路板と電気的に接続する。
【０００９】
良好な実施例において、前記仕切板には下方向の開口のある収納凹所を設け、防水蓋で下から上へ前記収納凹所の開口箇所を被嵌し仕切板と共に囲んで前記密封収納室を形成する。
【００１０】
良好な実施例において、前記仕切板には上方向の開口のある収納凹所を設け、防水蓋で上から下へ前記収納凹所の開口箇所を被嵌し仕切板と共に囲んで前記密封収納室を形成する。
【００１１】
良好な実施例において、前記防水蓋の周囲エッジと収納凹所の間には密封リングを挟設する。
【００１２】
良好な実施例において、前記密封収納室には導電部品を延伸させる貫通孔を設け、前記貫通孔の内壁と導電部品の間には防水気密シールを配置する。
【００１３】
良好な実施例において、前記導電部品を銅針とする。
【考案の効果】
【００１４】
本考案と現有技術を比較すると長所及び効果が非常に顕著である。それは主に、密封収納室を配置し、回路板を前記密封収納室内に取り付けて導電部品と密封収納室外のコイルを電気的に接続することにより、回路板の防水保護を実現することができる。
【図面の簡単な説明】
【００１５】
【図１】本考案の実施例１に関する立体分解図である。
【図２】本考案の実施例１に関するプロペラフレームの断面図である。
【図３】本考案の実施例１に関するプロペラフレームの立体図である。
【図４】本考案の実施例１に関する底蓋の側面図である。
【図５】本考案の実施例１に関する断面図である。
【図６】本考案の実施例２に関する立体分解図である。
【図７】本考案の実施例２に関する断面図である。
【考案を実施するための形態】
【００１６】
以下に図面を参照しながら本考案を実施するための最良の形態について詳細に説明する。
【実施例１】
【００１７】
図１乃至図５に示す本考案の実施例１に関する具体的な構造図において、防水放熱ファンは固定子１０と回転子２０を備える。
【００１８】
前記固定子１０はプロペラフレーム１１とコイル１２と回路板１３とを備え、前記プロペラフレーム１１には底面から上方向に軸柱１１０を延伸させ、コイル１２は前記軸柱１１０の周囲に固着される。前記軸柱１１０からは仕切板１１１を延伸し、前記仕切板１１１には下方向に開口のある収納凹所１１２を設け、プロペラフレーム１１の防水蓋１１３は下から上へ前記収納凹所１１２の開口を被嵌し仕切板１１１と共に密封収納室１１４を形成する。前記防水蓋１１３の引掛部１１３１はプロペラフレーム１１内の引掛位置１１５に対応させて係合し、防水蓋１１３の周囲エッジと収納凹所１１２の間には密封リング１１４１を挟設し、前記密封リング１１４１は柔靭性の良好なゴム製とし、密封収納室１１４の密封効果を高める。前記回路板１３は前記密封収納室１１４内に取り付けられ、前記回路板１３は銅針１１６により密封収納室１１４外のコイル１２と電気的に接続し、前記密封収納室１１４には銅針１１６を延伸挿入させるための貫通孔１１４２を設け、前記貫通孔１１４２の内壁と銅針１１６の間に防水気密シール１１７を設ける。
【００１９】
前記回転子２０は軸受２１とマグネットリング２２とプロペラ２３とを備え、前記軸受２１は前記軸柱１１０内に取り付けられ、マグネットリング２２は前記コイル１２の周辺に嵌設しプロペラ２３内に取り付けられ、前記プロペラ２３の回転軸２３１は軸受２１と固着しプロペラ２３を軸受２１の動きに伴い回転させる。
【実施例２】
【００２０】
続いて図６及び図７に示す本考案の実施例２に関する具体的な構造図において、本実施例の製品の構造と前記実施例１の構造は基本的に同様であり、相違点は次の通りである。即ち、前記仕切板１１１に設けられる収納凹所１１２の開口は上向きで、防水蓋１１３は上から下に向けて前記収納凹所１１２の開口を被嵌し、しかも仕切板１１１と共に回路板１３を取り付けるための密封収納室１１４を形成する。
【００２１】
使用時の本実施例と前記実施例１の作業原理は同様で、何れも電磁感応原理を使うもので、コイル１２とマグネットリング２２間に交互に変化する磁場を生じさせて軸受２１を動作させ、プロペラ２３を回転させて、ファン全体の動作を実現する。本考案の作業原理は公知技術であるため、ここでは詳細説明を加えない。
【００２２】
本考案の設計のポイントは主に、密封収納室を配置して、回路板を前記密封収納室内に取り付け、導電部品と密封収納室外のコイルを電気的に接続することにより回路板の防水保護を実現する点にある。
【００２３】
前述は単に本考案の良好な実施例に関するものであり、本考案の技術範囲に何らかの制限を加えるものではなく、よって本考案の実質的技術に基づいて為される如何なる微細な修正、同等変化及び修飾もまた本考案の技術手段の範囲に含まれるものとする。
【符号の説明】
【００２４】
１０      固定子
１１      プロペラフレーム
１１０    軸柱
１１１    仕切板
１１２    収納凹所
１１３    防水蓋
１１３１  引掛部  
１１４    密封収納室
１１４１  密封リング
１１４２  貫通孔
１１５    引掛位置          
１１６    銅針
１１７    気密シール
１２      コイル
１３      回路板
２０      回転子
２１      軸受
２２      マグネットリング
２３      プロペラ
２３１    回転軸
【図１】
0003164721.tif 000003
【図２】
0003164721.tif 000004
【図３】
0003164721.tif 000005
【図４】
0003164721.tif 000006
【図５】
0003164721.tif 000007
【図６】
0003164721.tif 000008
【図７】
0003164721.tif 000009